(57)【要約】【課題】撮影台をモーター駆動により水平方向に一回転させる間に撮影台の回転に連動した固定カメラで商品の連続コマ撮りを可能とする商品の撮影台を提供する。【解決手段】撮影台をモーター駆動により水平方向に一回転させる間に撮影台の回転に連動した固定カメラで商品の連続コマ撮りを可能とする商品の撮影台であって、撮影台は、撮影する商品を載置するテーブルと、テーブルに固定され円周を歯車状の凹凸で形成した第１の回転板と、水平方向に一回転させる間に第１の回転板の歯車状の凹凸に応じて固定カメラの電磁レリーズをオンオフ駆動するスイッチとを備えたことを特徴とする。【選択図】図１
2014048557.tif 000002
【特許請求の範囲】
【請求項１】
撮影台をモーター駆動により水平方向に一回転させる間に撮影台の回転に連動した固定カメラで商品の連続コマ撮りを可能とする商品の撮影台であって、前記撮影台は、撮影する商品を載置するテーブルと、前記テーブルに固定され円周を歯車状の凹凸で形成した第１の回転板と、水平方向に一回転させる間に前記第１の回転板の歯車状の凹凸に応じて前記固定カメラの電磁レリーズをオンオフ駆動するスイッチとを備えたことを特徴とする商品の撮影台。
【請求項２】
前記スイッチは、前記第１の回転板の歯車状の凹凸でアクチュエータを操作して前記固定カメラの電磁レリーズをオンオフ駆動するマイクロスイッチで構成したことを特徴とする請求項１記載の商品の撮影台。
【請求項３】
前記スイッチは、前記第１の回転板の歯車状の凹凸で発光素子と受光素子の空間を透過、遮断することにより前記固定カメラの電磁レリーズをオンオフ駆動する光電スイッチで構成したことを特徴とする請求項１記載の商品の撮影台。
【請求項４】
水平方向に一回転させる間に連続コマ撮りを可能とする固定カメラのシャッター回数及び間隔は、前記第１の回転板の円周に形成された歯車状の凹凸の数により設定可能としたことを特徴とする請求項１記載の商品の撮影台。
【請求項５】
水平方向に一回転させる間に連続コマ撮りを可能とする固定カメラのシャッター回数及び間隔は、前記テーブルに固定され円周を歯車状の凹凸で形成した第１の回転板を、円周に形成された歯車状の凹凸の数を変えた第２の回転板と交換することにより任意に変更可能にしたことを特徴とする請求項１記載の商品の撮影台。
【発明の詳細な説明】
【技術分野】
【０００１】
本発明は、撮影台をモーター駆動により水平方向に一回転させる間に固定カメラで商品の連続コマ撮りを可能とする商品の撮影台に関する。
【背景技術】
【０００２】
従来から、インターネット上で電子商取引を行うために電子カタログを作成する電子商取引支援システム及び方法が知られている（例えば、特許文献１）。
【先行技術文献】
【特許文献】
【０００３】
【特許文献１】特開２００４−３１８７９１号公報
【発明の概要】
【発明が解決しようとする課題】
【０００４】
ところで、電子カタログに掲載する商品の写真を撮影するにあたり、特許文献１に記載の電子商取引支援システム及び方法では、パソコンと電子カタログ作成ソフトを用いて、撮影台の回転に同期させた電子カメラにより、商品の画像を取り込んでいたため大掛かりな装置が必要となり、価格も高価になるという欠点があった。また、シャッター間隔、撮影角度は、プログラムにより規制されているので、すぐに変更できないという欠点があった。
【０００５】
本発明は上記のような問題点に鑑みてなされたもので、撮影台をモーター駆動により水平方向に一回転させる間に撮影台の回転に連動した固定カメラで商品の連続コマ撮りを可能とする商品の撮影台を提供することを目的とする。
【課題を解決するための手段】
【０００６】
上記目的を達成するため、請求項１の発明は、撮影台をモーター駆動により水平方向に一回転させる間に撮影台の回転に連動した固定カメラで商品の連続コマ撮りを可能とする商品の撮影台であって、撮影台は、撮影する商品を載置するテーブルと、テーブルに固定され円周を歯車状の凹凸で形成した第１の回転板と、水平方向に一回転させる間に第１の回転板の歯車状の凹凸に応じて固定カメラの電磁レリーズをオンオフ駆動するスイッチとを備えたことを特徴とするものである。
【０００７】
また、請求項２の発明は、請求項１に記載の商品の撮影台であって、スイッチは、第１の回転板の歯車状の凹凸でアクチュエータを操作して固定カメラの電磁レリーズをオンオフ駆動するマイクロスイッチで構成したことを特徴とするものである。
【０００８】
また、請求項３の発明は、請求項１に記載の商品の撮影台であって、スイッチは、第１の回転板の歯車状の凹凸で発光素子と受光素子の空間を透過、遮断することにより固定カメラの電磁レリーズをオンオフ駆動する光電スイッチで構成したことを特徴とするものである。
【０００９】
また、請求項４の発明は、請求項１に記載の商品の撮影台であって、水平方向に一回転させる間に連続コマ撮りを可能とする固定カメラのシャッター回数及び間隔は、第１の回転板の円周に形成された歯車状の凹凸の数により設定可能としたことを特徴とするものである。
【００１０】
また、請求項５の発明は、請求項１に記載の商品の撮影台であって、水平方向に一回転させる間に連続コマ撮りを可能とする固定カメラのシャッター回数及び間隔は、テーブルに固定され円周を歯車状の凹凸で形成した第１の回転板を、円周に形成された歯車状の凹凸の数を変えた第２の回転板と交換することにより任意に変更可能にしたことを特徴とするものである。
【発明の効果】
【００１１】
請求項１記載の発明によれば、撮影台をモーター駆動により水平方向に一回転させる間に撮影台の回転に連動した固定カメラで商品の連続コマ撮りを可能とする商品の撮影台であって、撮影台は、撮影する商品を載置するテーブルと、テーブルに固定され円周を歯車状の凹凸で形成した第１の回転板と、水平方向に一回転させる間に第１の回転板の歯車状の凹凸に応じて固定カメラの電磁レリーズをオンオフ駆動するスイッチとを備えたので、大掛かりで高価な装置でなくても簡単な構造で商品の連続コマ撮りが可能となる。
【００１２】
請求項２記載の発明によれば、スイッチは、第１の回転板の歯車状の凹凸でアクチュエータを操作して固定カメラの電磁レリーズをオンオフ駆動するマイクロスイッチで構成したので、大掛かりで高価な装置でなくても簡単な構造で商品の連続コマ撮りが可能となる。
【００１３】
請求項３記載の発明によれば、スイッチは、第１の回転板の歯車状の凹凸で発光素子と受光素子の空間を透過、遮断することにより固定カメラの電磁レリーズをオンオフ駆動する光電スイッチで構成したので、大掛かりで高価な装置でなくても簡単な構造で商品の連続コマ撮りが可能となる。
【００１４】
請求項４記載の発明によれば、水平方向に一回転させる間に連続コマ撮りを可能とする固定カメラのシャッター回数及び間隔は、第１の回転板の円周に形成された歯車状の凹凸の数により設定可能としたので、任意の位置及び角度で商品の連続コマ撮りが可能となる。
【００１５】
請求項５記載の発明によれば、水平方向に一回転させる間に連続コマ撮りを可能とする固定カメラのシャッター回数及び間隔は、テーブルに固定され円周を歯車状の凹凸で形成した第１の回転板を、円周に形成された歯車状の凹凸の数を変えた第２の回転板と交換することにより任意に変更可能にしたので、プログラムに規制されることなくコストも安く容易に変更可能となる。
【図面の簡単な説明】
【００１６】
【図１】本発明による商品の撮影台の斜視図である。
【図２】図１に示した商品の撮影台のスイッチの第一実施例を示し、（ａ）は第１の回転板、（ｂ）は第２の回転板を用いた要部拡大図である。
【図３】図１に示した商品の撮影台のスイッチの第二実施例を示し、（ａ）は第１の回転板、（ｂ）は第２の回転板を用いた要部拡大図である。
【図４】図１に示した商品の撮影台の側面図である。
【図５】図１に示した商品の撮影台を含めた全構成の概要図である。
【発明を実施するための形態】
【実施例】
【００１７】
以下、本発明の実施の形態を図面を参照して説明する。本発明は、撮影台をモーター駆動により水平方向に一回転させる間に撮影台の回転に連動した固定カメラで商品の連続コマ撮りを可能とする商品の撮影台であり、図１に示すように、撮影台２０は、撮影する商品を載置するテーブル２１と、テーブル２１に固定され円周を歯車状の凹凸２３で形成した第１の回転板２２ａと、テーブル２１をモーター駆動により水平方向に一回転させる間に第１の回転板２２ａの歯車状の凹凸２３に応じてオンオフ駆動信号を生成するスイッチ４０と、スイッチ４０のオンオフ駆動信号を出力するケーブル１２とを備えている。
【００１８】
図２（ａ）は、商品の撮影台を構成するスイッチの第一実施例であるマイクロスイッチ４１と第１の回転板２２ａの歯車状の凹凸２３との関係を示す要部拡大図、図２（ｂ）は、円周に形成された歯車状の凹凸の数を変えた第２の回転板２２ｂとの歯車状の凹凸２３の関係を示す要部拡大図であり、歯車状の凹凸２３でアクチュエータ４２を操作して固定カメラ１０の電磁レリーズ１１をオンオフ駆動して商品の連続コマ撮りを可能とする。
【００１９】
図３（ａ）は、商品の撮影台を構成するスイッチの第二実施例である光電スイッチ４５と第１の回転板２２ａの歯車状の凹凸２３の関係を示す要部拡大図、図３（ｂ）は、円周に形成された歯車状の凹凸の数を変えた第２の回転板２２ｂとの歯車状の凹凸２３の関係を示す要部拡大図であり、歯車状の凹凸２３で発光素子４６と受光素子４７の空間を透過、遮断して固定カメラ１０の電磁レリーズ１１をオンオフ駆動して商品の連続コマ撮りを可能とする。
【００２０】
また、撮影台２０は、図４に示すように、インバーターモーター或いはモーターとギア式減速機が一体化したギアードモーターからなるモーター５０がベース板２４にビスで固定され、ベアリングが嵌め込まれたピローブロック５２を介してモーター出力軸５１が第１の回転板２２ａに連結されている。第１の回転板２２ａに固定されたテーブル２１はベース板２４に立設された複数本の支柱２５にねじ込みされたゴム車輪２６に支持されている。
【００２１】
上記のように構成することにより本発明は、図５に示すように、撮影台２０と固定カメラ１０の電磁レリーズ１１をケーブル１２で接続し、撮影台２０をモーター駆動により水平方向に一回転させる間に固定カメラ１０の電磁レリーズ１１をオンオフ駆動して商品３０の連続コマ撮りを可能とする。
【００２２】
以上のように構成された撮影台を用いて固定カメラで商品の連続コマ撮りを撮影する方法について説明する。モーター５０はインバーターモーターで構成するのが好適で、インバーターのコントローラーで速度制御ができ、好きな回転数が得られる。また、インバーターモーターの代わりに歯車装置にモーターを取り付けたギアードモーターで構成することもでき、電気でモーターを回転させ、その力を複数段のギア式減速機を通して、モーター出力軸５１から回転数を落としてトルクを増大させて力を取り出すもので、ギア比によって好きな回転数が得られる。
【００２３】
テーブル２１をモーター駆動により水平方向に回転させることによりカメラ１０を一箇所に固定したままで商品３０を３６０度どの方向からでも撮影することができる。最近ではカメラと言えばデジタルカメラが主流であり、電磁レリーズ１１と呼ばれる電気的にシャッターを駆動させることのできる外部接点をもっている。この接点のオンオフによりシャッターが駆動される。
【００２４】
テーブル２１に固定された第１の回転板２２ａは、円周を歯車状の凹凸２３で形成され、その凹凸２３に応じてスイッチ４０をオンオフ駆動させる。スイッチ４０とカメラ１０の電磁レリーズ１１である外部接点とをケーブル１２で接続配線することにより第１の回転板２２ａの回転にあわせて歯車状の凹凸２３によりカメラ１０のシャッターが駆動する。
【００２５】
第１の回転板２２ａの円周に形成されている歯車状の凹凸２３の数が、テーブル２１が水平方向に一回転する間のスイッチ４０の断続数であり、その凹凸２３の数によりテーブル２１が水平方向に一回転する間のシャッター回数及び間隔が設定される。また、第１の回転板２２ａを、円周に形成された凹凸２３の数を変えた第２の回転板２２ｂと交換することにより、テーブル２１が水平方向に一回転する間のシャッター回数及び間隔を任意に変更することができる。
【００２６】
ここで、スイッチ４０を、図２（ａ）、図２（ｂ）に示すように、マイクロスイッチ４１で構成した場合、第１及び第２の回転板２２ａ、２２ｂがモーター駆動により水平方向に一回転する間に、歯車状の凹凸２３でマイクロスイッチ４１のアクチュエータ４２を操作して固定カメラ１０の電磁レリーズ１１をオンオフ駆動して商品の連続コマ撮りを可能とする。
【００２７】
また、スイッチ４０を、図３（ａ）、図３（ｂ）に示すように、光電スイッチ４５で構成した場合、第１及び第２の回転板２２ａ、２２ｂがモーター駆動により水平方向に一回転する間に、歯車状の凹凸２３で光電スイッチ４５の発光素子４６と受光素子４７の空間を透過、遮断して固定カメラ１０の電磁レリーズ１１をオンオフ駆動して商品の連続コマ撮りを可能とする。
【００２８】
水平方向に一回転する間に連続コマ撮りを可能とする固定カメラ１０のシャッター回数及び間隔は、第１の回転板２２ａの円周に形成された歯車状の凹凸２３の数により設定可能とすることができる。
【００２９】
水平方向に一回転する間に連続コマ撮りを可能とする固定カメラ１０のシャッター回数及び間隔は、テーブルに固定され円周を歯車状の凹凸で形成した第１の回転板２２ａを、円周に形成された歯車状の凹凸の数を変えた第２の回転板２２ｂと交換することにより任意に変更可能とすることができる。
【００３０】
以上説明したように、本発明によれば、撮影する商品が載置されたテーブルをモーター駆動により水平方向に一回転させる間に固定カメラで撮影することにより、一定速度で回転している商品を連続コマ撮りすることができる。
【００３１】
また、本発明を応用すれば、連続コマ撮りしている静止画像を連続再生することにより、商品が実際に回転しているような動画を静止画のみで構築することができ、インターネット上で電子商取引を行うために電子カタログを作成するにあたり、動画フォーマトよりも汎用性があり、かつプログラムサイズが小さくできる副次的効果がある。
【符号の説明】
【００３２】
１０  固定カメラ
１１  電磁レリーズ
２０  撮影台
２１  テーブル
２２ａ  第１の回転板
２２ｂ  第２の回転板
２３  歯車状の凹凸
３０  商品
４０  スイッチ
４１  マイクロスイッチ
４２  アクチュエーター
４５  光電スイッチ
４６  発光素子
４７  受光素子
５０  モーター
【図１】
2014048557.tif 000003
【図２】
2014048557.tif 000004
【図３】
2014048557.tif 000005
【図４】
2014048557.tif 000006
【図５】
2014048557.tif 000007